【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを復号する方法であって、
前記フレームの独立して復号可能な部分を形成するとき、前記階層的に構成された小さい複数のコード化単位が分割された粒度を示す１つ以上のシンタックス要素を復号することと、なお、前記粒度は、前記フレームを前記フレームの前記独立して復号可能な部分に分割するために使用される複数の前記ブロックサイズコード化単位のサイズの相対サイズを示す、
前記１つ以上のシンタックス要素に基づいて前記粒度を決定することと、
決定された前記粒度を使用して、第１のセクションと第２のセクションとに分割されたＬＣＵを識別することと、
前記フレームの独立して復号可能な部分をビットストリームから復号することと、なお、前記独立して復号可能な部分は、前記ＬＣＵの前記第２のセクションなしに前記ＬＣＵの前記第１のセクションを含む、を備える、方法。
【請求項２】
前記粒度を示す前記１つ以上のシンタックス要素を復号することは、前記階層的に構成された前記小さい複数のコード化単位が分割された前記１つ以上のＬＣＵのコード化単位（ＣＵ）深さの指標を復号することを含む、請求項１に記載の方法。
【請求項３】
前記ＣＵ深さの前記指標を復号することが、ピクチャパラメータセット中のＣＵ深さ値を復号することを備える、請求項２に記載の方法。
【請求項４】
前記ＬＣＵの前記第１のセクションのアドレスを決定することを更に備える、請求項１に記載の方法。
【請求項５】
前記ＬＣＵの前記第１のセクションの前記アドレスを決定することが、スライスヘッダのスライスアドレスを復号することを備える、請求項４に記載の方法。
【請求項６】
前記フレームの前記独立して復号可能な部分が第１の独立して復号可能な部分を備え、
前記方法が、
前記ＬＣＵの前記第２のセクションを含む前記フレームの第２の独立して復号可能な部分を復号することと、
前記第１の独立して復号可能な部分と共に、前記小さいコード化単位の前記階層構成を識別する４分木構造の第１の部分を復号することと、
前記第２の独立して復号可能な部分と共に、前記４分木区分構造の前記第１の部分とは別個に前記４分木構造の第２の部分を復号することとを更に備える、請求項１に記載の方法。
【請求項７】
前記４分木構造の前記第１の部分を復号することが、
前記第１の独立して復号可能な部分内のコード化単位分割を示す１つ以上の分割フラグを復号することと、
前記第２の独立して復号可能な部分内のコード化単位分割を示す１つ以上の分割フラグを復号することとを備える、請求項６に記載の方法。
【請求項８】
前記フレームの前記独立して復号可能な部分が第１の独立して復号可能な部分を備え、
前記方法が、
前記ＬＣＵの前記第２のセクションを含む前記フレームの第２の独立して復号可能な部分を復号することと、
前記第１の独立して復号可能な部分についての量子化パラメータの変化を識別することと、
前記第１の独立して復号可能な部分とは別個に、前記第２の独立して復号可能な部分についての量子化パラメータの変化を識別することとを更に備える、請求項１に記載の方法。
【請求項９】
前記独立して復号可能な部分の終端の指標を復号することを更に備える、請求項１に記載の方法。
【請求項１０】
１つ以上の最大コード化単位（ＬＣＵ）を含み、階層的に構成された小さい複数のコード化単位を含む複数のブロックサイズコード化単位を備えるビデオデータのフレームを復号するための装置であって、
ビデオデータの前記フレームを記憶するように構成されたメモリと、
前記フレームの独立して復号可能な部分を形成するとき、前記階層的に構成された前記小さい複数のコード化単位が分割された粒度を示す１つ以上のシンタックス要素を復号することと、なお、前記粒度は、前記フレームを前記フレームの前記独立して復号可能な部分に分割するために使用される複数の前記ブロックサイズコード化単位のサイズの相対サイズを示す、
前記１つ以上のシンタックス要素に基づいて前記粒度を決定することと、
決定された前記粒度を使用して、第１のセクションと第２のセクションとに分割されたＬＣＵを識別することと、
前記フレームの独立して復号可能な部分をビットストリームから復号することと、なお、前記独立して復号可能な部分は、前記ＬＣＵの前記第２のセクションなしに前記ＬＣＵの前記第１のセクションを含む、を行うように構成された１つ以上のプロセッサを備える、装置。
【請求項１１】
前記粒度を示す前記１つ以上のシンタックス要素を復号するために、前記１つ以上のプロセッサは、前記階層的に構成された前記小さい複数のコード化単位が分割された前記１つ以上のＬＣＵのコード化単位（ＣＵ）深さの指標を復号するように構成される、請求項１０に記載の装置。
【請求項１２】
前記ＣＵ深さの前記指標を復号するために、前記１つ以上のプロセッサは、ピクチャパラメータセット中のＣＵ深さ値を復号するように構成される、請求項１１に記載の装置。
【請求項１３】
前記１つ以上のプロセッサが、前記ＬＣＵの前記第１のセクションのアドレスを決定するように更に構成された、請求項１０に記載の装置。
【請求項１４】
前記ＬＣＵの前記第１のセクションの前記アドレスを決定するために、前記１つ以上のプロセッサは、スライスヘッダのスライスアドレスを復号するように構成される、請求項１３に記載の装置。
【請求項１５】
前記フレームの前記独立して復号可能な部分が第１の独立して復号可能な部分を備え、
前記１つ以上のプロセッサが、
前記ＬＣＵの前記第２のセクションを含む前記フレームの第２の独立して復号可能な部分を復号することと、
前記第１の独立して復号可能な部分と共に、前記小さい複数のコード化単位の前記階層構成を識別する４分木構造の第１の部分を復号することと、
前記第２の独立して復号可能な部分と共に、前記４分木区分構造の前記第１の部分とは別個に前記４分木構造の第２の部分を復号することとを行うように更に構成された、請求項１０に記載の装置。
【請求項１６】
前記４分木構造の前記第１の部分を復号するために、前記１つ以上のプロセッサが、
前記第１の独立して復号可能な部分内のコード化単位分割を示す１つ以上の分割フラグを復号することと、
前記第２の独立して復号可能な部分内のコード化単位分割を示す１つ以上の分割フラグを復号することとを備える、請求項１５に記載の装置。
【請求項１７】
前記フレームの前記独立して復号可能な部分が第１の独立して復号可能な部分を備え、
前記１つ以上のプロセッサが、
前記ＬＣＵの前記第２のセクションを含む前記フレームの第２の独立して復号可能な部分を復号することと、
前記第１の独立して復号可能な部分についての量子化パラメータの変化を識別することと、
前記第１の独立して復号可能な部分とは別個に、前記第２の独立して復号可能な部分についての量子化パラメータの変化を識別することとを行うように更に構成された、請求項１０に記載の装置。
【請求項１８】
前記１つ以上のプロセッサが、前記独立して復号可能な部分の終端の指標を復号するように更に構成された、請求項１０に記載の装置。
【請求項１９】
前記装置がモバイル機器を備える、請求項１０に記載の装置。
【請求項２０】
１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを復号するための装置であって、
前記フレームの独立して復号可能な部分を形成するとき、前記階層的に構成された前記小さい複数のコード化単位が分割された粒度を示す１つ以上のシンタックス要素を復号するための手段と、なお、前記粒度は、前記フレームを前記フレームの前記独立して復号可能な部分に分割するために使用される複数の前記ブロックサイズコード化単位のサイズの相対サイズを示す、
前記１つ以上のシンタックス要素に基づいて前記粒度を決定するための手段と、
決定された前記粒度を使用して、第１のセクションと第２のセクションとに分割されたＬＣＵを識別するための手段と、
前記フレームの独立して復号可能な部分をビットストリームから復号するための手段と、なお、前記独立して復号可能な部分は、前記ＬＣＵの前記第２のセクションなしに前記ＬＣＵの前記第１のセクションを含む、を備える、装置。
【請求項２１】
前記粒度を示す前記１つ以上のシンタックス要素を復号するための前記手段は、前記階層的に構成された前記小さい複数のコード化単位が分割された前記１つ以上のＬＣＵのコード化単位（ＣＵ）深さの指標を復号するための手段を含む、請求項２０に記載の装置。
【請求項２２】
前記ＣＵ深さの前記指標を復号するための前記手段は、ピクチャパラメータセット中のＣＵ深さ値を復号するための手段を備える、請求項２１に記載の装置。
【請求項２３】
前記フレームの前記独立して復号可能な部分が第１の独立して復号可能な部分を備え、前記装置は、
前記ＬＣＵの前記第２のセクションを含む前記フレームの第２の独立して復号可能な部分を復号するための手段と、
前記第１の独立して復号可能な部分と共に、前記小さい複数のコード化単位の前記階層構成を識別する４分木構造の第１の部分を復号するための手段と、
前記第２の独立して復号可能な部分と共に、前記４分木区分構造の前記第１の部分とは別個に前記４分木構造の第２の部分を復号するための手段とを更に備える、請求項２０に記載の装置。
【請求項２４】
１つ以上のプロセッサによって実行されると、１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを復号するように構成されたビデオ復号機器の前記１つ以上のプロセッサに、
前記フレームの独立して復号可能な部分を形成するとき、前記階層的に構成された前記小さい複数のコード化単位が分割された粒度を示す１つ以上のシンタックス要素を復号させ、なお、前記粒度は、前記フレームを前記フレームの前記独立して復号可能な部分に分割するために使用される複数の前記ブロックサイズコード化単位のサイズの相対サイズを示す、
前記１つ以上のシンタックス要素に基づいて前記粒度を決定させ、
決定された前記粒度を使用して、第１のセクションと第２のセクションとに分割されたＬＣＵを識別させ、
前記フレームの独立して復号可能な部分をビットストリームから復号させる、なお、前記独立して復号可能な部分は、前記ＬＣＵの前記第２のセクションなしに前記ＬＣＵの前記第１のセクションを含む、命令を記憶する、コンピュータ可読記憶媒体。
【請求項２５】
前記粒度を示す前記１つ以上のシンタックス要素を復号するために、前記命令は、前記１つ以上のプロセッサに、前記階層的に構成された前記小さい複数のコード化単位が分割された前記１つ以上のＬＣＵのコード化単位（ＣＵ）深さの指標を復号させる、請求項２４に記載のコンピュータ可読記憶媒体。
【請求項２６】
前記ＣＵ深さの前記指標を復号するために、前記命令は、前記１つ以上のプロセッサに、ピクチャパラメータセット中のＣＵ深さ値を復号させる、請求項２５に記載のコンピュータ可読記憶媒体。
【請求項２７】
前記フレームの前記独立して復号可能な部分が第１の独立して復号可能な部分を備え、前記命令は、さらに、前記１つ以上のプロセッサに、
前記ＬＣＵの前記第２のセクションを含む前記フレームの第２の独立して復号可能な部分を復号させ、
前記第１の独立して復号可能な部分と共に、比較的より小さい複数のコード化単位の前記階層構成を識別する４分木構造の第１の部分を復号させ、
前記第２の独立して復号可能な部分と共に、前記４分木区分構造の前記第１の部分とは別個に前記４分木構造の第２の部分を復号させる、請求項２４に記載のコンピュータ可読記憶媒体。
【請求項２８】
１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを符号化する方法であって、
前記フレームの独立して復号可能な部分を形成するとき、前記階層的に構成された前記小さい複数のコード化単位が分割されるべき粒度を決定することと、なお、前記粒度は、前記フレームを前記フレームの前記独立して復号可能な部分に分割するために使用される複数の前記ブロックサイズコード化単位のサイズの相対サイズを示す、
ＬＣＵの第１のセクションと前記ＬＣＵの第２のセクションとを生成するように、決定された前記粒度を使用して前記ＬＣＵを分割することと、
前記ＬＣＵの前記第２のセクションを含むことなしに前記ＬＣＵの前記第１のセクションを含むように前記フレームの独立して復号可能な部分を生成することと、
前記フレームの前記独立して復号可能な部分と決定された前記粒度を示す１つ以上のシンタックス要素とを含むようにビットストリームを生成することと、を備える、方法。
【請求項２９】
前記粒度を決定することは、前記階層的に構成された前記小さい複数のコード化単位が分割されるべき前記１つ以上のＬＣＵのコード化単位（ＣＵ）深さを決定することを含み、
前記１つ以上のシンタックス要素を含むように前記ビットストリームを生成することが、ＣＵ深さ値を示す１つ以上のシンタックス要素を含むように前記ビットストリームを生成することを含む、請求項２８に記載の方法。
【請求項３０】
前記ＣＵ深さ値を示す前記１つ以上のシンタックス要素を含むように前記ビットストリームを生成することが、前記ＣＵ深さ値を示す前記１つ以上のシンタックス要素をピクチャパラメータセット中に含めることを備える、請求項２９に記載の方法。
【請求項３１】
前記フレームの前記独立して復号可能な部分が第１の独立して復号可能な部分を備え、
前記方法が、
前記ＬＣＵの前記第２のセクションを含むように前記フレームの第２の独立して復号可能な部分を生成することと、
前記第１の独立して復号可能な部分と共に、比較的より小さい複数のコード化単位の前記階層構成を識別する４分木構造の第１の部分を示すことと、
前記第２の独立して復号可能な部分と共に、前記４分木区分構造の前記第１の部分とは別個に前記４分木構造の第２の部分を示すこととを更に備える、請求項２８に記載の方法。
【請求項３２】
前記４分木構造の前記第１の部分を示すことが、
前記第１の独立して復号可能な部分内のコード化単位分割を示す１つ以上の分割フラグを生成することと、
前記第２の独立して復号可能な部分内のコード化単位分割を示す１つ以上の分割フラグを生成することとを備える、請求項３１に記載の方法。
【請求項３３】
前記フレームの前記独立して復号可能な部分が第１の独立して復号可能な部分を備え、
前記方法が、
前記ＬＣＵの前記第２のセクションを含むように前記フレームの第２の独立して復号可能な部分を生成することと、
前記第１の独立して復号可能な部分についての量子化パラメータの変化を示すことと、
前記第１の独立して復号可能な部分とは別個に、前記第２の独立して復号可能な部分についての量子化パラメータの変化を示すこととを更に備える、請求項２８に記載の方法。
【請求項３４】
前記フレームの前記独立して復号可能な部分を含むようにビットストリームを生成することが、前記独立して復号可能な部分の終端の指標を生成することを備える、請求項２８に記載の方法。
【請求項３５】
前記独立して復号可能な部分の前記終端の前記指標を生成することが、前記独立して復号可能な部分の前記終端を識別する１ビットフラグを生成することを備える、請求項３４に記載の方法。
【請求項３６】
前記１ビットフラグは、前記階層的に構成された前記小さい複数のコード化単位が分割される前記粒度よりも小さい粒度のコード化単位であるコード化単位について生成されない、請求項３５に記載の方法。
【請求項３７】
１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを符号化するための装置であって、
前記フレームの独立して復号可能な部分を形成するとき、前記階層的に構成された前記小さい複数のコード化単位がそれで分割されるべき粒度を決定することと、なお、前記粒度は、前記フレームを前記フレームの前記独立して復号可能な部分に分割するために使用される複数の前記ブロックサイズコード化単位のサイズの相対サイズを示す、
ＬＣＵの第１のセクションと前記ＬＣＵの第２のセクションとを生成するように、決定された前記粒度を使用して前記ＬＣＵを分割することと、
前記ＬＣＵの前記第２のセクションを含むことなしに前記ＬＣＵの前記第１のセクションを含むように前記フレームの独立して復号可能な部分を生成することと、
前記フレームの前記独立して復号可能な部分と決定された前記粒度を示す１つ以上のシンタックス要素とを含むようにビットストリームを生成することと、を行うように構成された１つ以上のプロセッサを備える、装置。
【請求項３８】
前記粒度を決定するために、前記１つ以上のプロセッサは、前記階層的に構成された前記小さい複数のコード化単位がそれで分割されるべき前記１つ以上のＬＣＵのコード化単位（ＣＵ）深さを決定するように構成され、
前記１つ以上のシンタックス要素を含むように前記ビットストリームを生成するために、前記１つ以上のプロセッサは、ＣＵ深さ値を示す前記１つ以上のシンタックス要素を生成するように構成される、請求項３７に記載の装置。
【請求項３９】
前記ＣＵ深さ値を示す前記１つ以上のシンタックス要素を生成するために、前記１つ以上のプロセッサは、前記ＣＵ深さ値をピクチャパラメータセット中に含めるように前記ビットストリームを生成するように構成される、請求項３８に記載の装置。
【請求項４０】
前記フレームの前記独立して復号可能な部分が第１の独立して復号可能な部分を備え、前記１つ以上のプロセッサが、
前記ＬＣＵの前記第２のセクションを含むように前記フレームの第２の独立して復号可能な部分を生成することと、
前記第１の独立して復号可能な部分と共に、比較的より小さい複数のコード化単位の前記階層構成を識別する４分木構造の第１の部分を示すことと、
前記第２の独立して復号可能な部分と共に、前記４分木区分構造の前記第１の部分とは別個に前記４分木構造の第２の部分を示すこととを行うように更に構成された、請求項３７に記載の装置。
【請求項４１】
前記４分木構造の前記第１の部分を示すために、前記１つ以上のプロセッサは、
前記第１の独立して復号可能な部分内のコード化単位分割を示す１つ以上の分割フラグを生成することと、
前記第２の独立して復号可能な部分内のコード化単位分割を示す１つ以上の分割フラグを生成することとを行うように構成される、請求項４０に記載の装置。
【請求項４２】
前記フレームの前記独立して復号可能な部分が第１の独立して復号可能な部分を備え、前記１つ以上のプロセッサが、
前記ＬＣＵの前記第２のセクションを含むように前記フレームの第２の独立して復号可能な部分を生成することと、
前記第１の独立して復号可能な部分についての量子化パラメータの変化を示すことと、
前記第１の独立して復号可能な部分とは別個に、前記第２の独立して復号可能な部分についての量子化パラメータの変化を示すこととを行うように更に構成された、請求項３７に記載の装置。
【請求項４３】
前記フレームの前記独立して復号可能な部分を含むようにビットストリームを生成するために、前記１つ以上のプロセッサは、前記独立して復号可能な部分の終端の指標を生成するように構成される、請求項３７に記載の装置。
【請求項４４】
前記独立して復号可能な部分の前記終端の前記指標を生成するために、前記１つ以上のプロセッサは、前記独立して復号可能な部分の前記終端を識別する１ビットフラグを生成するように構成される、請求項４３に記載の装置。
【請求項４５】
前記１つ以上のプロセッサは、前記階層的に構成された前記小さい複数のコード化単位がそれで分割される前記粒度よりも小さい粒度のコード化単位であるコード化単位について前記１ビットフラグを生成しないように構成される、請求項４４に記載の装置。
【請求項４６】
前記装置がモバイル機器を備える、請求項３７に記載の装置。
【請求項４７】
１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを符号化するための装置であって、前記装置は、
前記フレームの独立して復号可能な部分を形成するとき、前記階層的に構成された前記小さい複数のコード化単位がそれで分割されるべき粒度を決定するための手段と、なお、前記粒度は、前記フレームを前記フレームの前記独立して復号可能な部分に分割するために使用される複数の前記ブロックサイズコード化単位のサイズの相対サイズを示す、
ＬＣＵの第１のセクションと前記ＬＣＵの第２のセクションとを生成するように、決定された前記粒度を使用して前記ＬＣＵを分割するための手段と、
前記ＬＣＵの前記第２のセクションを含むことなしに前記ＬＣＵの前記第１のセクションを含むように前記フレームの独立して復号可能な部分を生成するための手段と、
前記フレームの前記独立して復号可能な部分と決定された前記粒度を示す１つ以上のシンタックス要素とを含むようにビットストリームを生成するための手段と、を備える、装置。
【請求項４８】
前記粒度を決定するための前記手段は、前記階層的に構成された前記小さい複数のコード化単位がそれで分割されるべき前記１つ以上のＬＣＵのコード化単位（ＣＵ）深さを決定するための手段を含み、
前記１つ以上のシンタックス要素を含むように前記ビットストリームを生成するための前記手段が、ＣＵ深さ値を示す１つ以上のシンタックス要素を含むように前記ビットストリームを生成するための手段を含む、請求項４７に記載の装置。
【請求項４９】
前記深さ値を示す前記１つ以上のシンタックス要素を含むように前記ビットストリームを生成するための前記手段が、前記ＣＵ深さ値を示す前記１つ以上のシンタックス要素をピクチャパラメータセット中に含めるための手段を備える、請求項４８に記載の装置。
【請求項５０】
前記フレームの前記独立して復号可能な部分が第１の独立して復号可能な部分を備え、前記装置が、
前記ＬＣＵの前記第２のセクションを含むように前記フレームの第２の独立して復号可能な部分を生成するための手段と、
前記第１の独立して復号可能な部分と共に、比較的より小さい複数のコード化単位の前記階層構成を識別する４分木構造の第１の部分を示すための手段と、
前記第２の独立して復号可能な部分と共に、前記４分木区分構造の前記第１の部分とは別個に前記４分木構造の第２の部分を示すための手段とを更に備える、請求項４７に記載の装置。
【請求項５１】
前記４分木構造の前記第１の部分を示すための前記手段が、
前記第１の独立して復号可能な部分内のコード化単位分割を示す１つ以上の分割フラグを生成するための手段と、
前記第２の独立して復号可能な部分内のコード化単位分割を示す１つ以上の分割フラグを生成するための手段とを備える、請求項５０に記載の装置。
【請求項５２】
１つ以上のプロセッサによって実行されると、１つ以上の最大コード化単位（ＬＣＵ）を含み、階層的に構成され、前記１つ以上のＬＣＵに比べて小さい複数のコード化単位を含む複数のブロックサイズコード化単位を備えるビデオデータのフレームを符号化するように構成されたビデオ符号化機器の前記１つ以上のプロセッサに、
前記フレームの独立して復号可能な部分を形成するとき、前記階層的に構成された前記小さい複数のコード化単位がそれで分割されるべき粒度を決定させ、なお、前記粒度は、前記フレームを前記フレームの前記独立して復号可能な部分に分割するために使用される複数の前記ブロックサイズコード化単位のサイズの相対サイズを示す、
ＬＣＵの第１のセクションと前記ＬＣＵの第２のセクションとを生成するように、決定された前記粒度を使用して前記ＬＣＵを分割させ、
前記ＬＣＵの前記第２のセクションを含むことなしに前記ＬＣＵの前記第１のセクションを含むように前記フレームの独立して復号可能な部分を生成させ、
前記フレームの前記独立して復号可能な部分と決定された前記粒度を示す１つ以上のシンタックス要素とを含むようにビットストリームを生成させる命令を記憶する、コンピュータ可読記憶媒体。
【請求項５３】
前記粒度を決定するために、前記命令は、前記１つ以上のプロセッサに、前記階層的に構成された前記小さい複数のコード化単位がそれで分割されるべき前記１つ以上のＬＣＵのコード化単位（ＣＵ）深さを決定させ、
前記１つ以上のシンタックス要素を含むように前記ビットストリームを生成するために、前記命令は、前記１つ以上のプロセッサに、ＣＵ深さ値を示す前記１つ以上のシンタックス要素を含むように前記ビットストリームを生成させる、請求項５２に記載のコンピュータ可読記憶媒体。
【請求項５４】
前記ＣＵ深さ値を示す前記１つ以上のシンタックス要素を含むように前記ビットストリームを生成するために、前記命令は、前記１つ以上のプロセッサに、前記ＣＵ深さ値を示す前記１つ以上のシンタックス要素をピクチャパラメータセット中に含めさせる、請求項５３に記載のコンピュータ可読記憶媒体。
【請求項５５】
前記フレームの前記独立して復号可能な部分が第１の独立して復号可能な部分を備え、前記命令は、さらに、前記１つ以上のプロセッサに、
前記ＬＣＵの前記第２のセクションを含むように前記フレームの第２の独立して復号可能な部分を生成させ、
前記第１の独立して復号可能な部分と共に、比較的より小さい複数のコード化単位の前記階層構成を識別する４分木構造の第１の部分を示させ、
前記第２の独立して復号可能な部分と共に、前記４分木区分構造の前記第１の部分とは別個に前記４分木構造の第２の部分を示させる、請求項５２に記載のコンピュータ可読記憶媒体。
【請求項５６】
前記４分木構造の前記第１の部分を示すために、前記命令は、前記１つ以上のプロセッサに、
前記第１の独立して復号可能な部分内のコード化単位分割を示す１つ以上の分割フラグを生成させ、
前記第２の独立して復号可能な部分内のコード化単位分割を示す１つ以上の分割フラグを生成させる、請求項５５に記載のコンピュータ可読記憶媒体。
【請求項５７】
前記１つ以上のシンタックス要素に基づいて前記粒度を決定することは、前記フレームの最小コード化単位のサイズよりも大きく、前記１つ以上のＬＣＵのサイズよりも小さい粒度を決定することを備える、請求項１に記載の方法。
【請求項５８】
前記粒度を決定することは、前記フレームの最小コード化単位のサイズよりも大きく、前記１つ以上のＬＣＵのサイズよりも小さい粒度を決定することを備える、請求項２８に記載の方法。